(57)【要約】      （修正有）【課題】光ディスクやディスクテーブルとの摺動特性を保持して工程の合理化によるコスト低減を図るとともに信頼性の向上を図る。【解決手段】片面に耐熱非粘着特性を有する摺動性塗膜１７を形成した原板２１が素材として用いられ、原板２１の非摺動性塗膜形成面側から所定のプレス加工が施されて形成され、摺動性塗膜形成面をディスクに対向させてカートリッジ筐体に組み付けられる。【選択図】図４
2009116933.tif 000002
【特許請求の範囲】
【請求項１】
上シェルと下シェルを組み合わせて内部にディスクを回転可能に収納するカートリッジ筐体の上記上シェルの中央部内面に取付リング部材を介して上記ディスクのセンタ孔と対向して組み付けられ、記録再生装置に装填された状態でディスク駆動部を構成するディスクテーブルにマグネットチャッキングされることにより上記ディスクを保持して回転駆動させるディスクカートリッジのチャッキングプレートにおいて、
片面に摺動性塗膜を形成した原板が素材として用いられ、上記摺動性塗膜形成面を上記ディスクに対向させて上記カートリッジ筐体に組み付けられることを特徴とするディスクカートリッジのチャッキングプレート。
【請求項２】
基板の主面上にプライマー塗膜層とフッ素系樹脂塗膜層とからなる上記摺動性塗膜を形成した上記原板が素材として用いられることを特徴とする請求項１に記載のディスクカートリッジのチャッキングプレート。
【請求項３】
外周端面部に上記摺動性塗膜が形成されていないことを特徴とする請求項１に記載のディスクカートリッジのチャッキングプレート。
【請求項４】
上シェルと下シェルを組み合わせて内部にディスクを回転可能に収納するカートリッジ筐体の上記上シェルの中央部内面に取付リング部材を介して上記ディスクのセンタ孔と対向して組み付けられ、記録再生装置に装填された状態でディスク駆動部を構成するディスクテーブルにマグネットチャッキングされることにより上記ディスクを保持して回転駆動させるディスクカートリッジのチャッキングプレート製造方法において、
片面に摺動性塗膜を形成した原板を用い、
上記原板に対して、非摺動性塗膜形成面側からプレス工程と洗浄処理工程を施して、上記摺動性塗膜形成面を上記ディスクに対向させて上記カートリッジ筐体に組み付けられるチャッキングプレートを製造することを特徴とするディスクカートリッジのチャッキングプレート製造方法。
【請求項５】
上シェルと下シェルを組み合わせて内部にディスクを回転可能に収納するカートリッジ筐体の上記上シェルの中央部内面に取付リング部材を介して上記ディスクのセンタ孔と対向して組み付けられ、記録再生装置に装填された状態でディスク駆動部を構成するディスクテーブルにマグネットチャッキングされることにより上記ディスクを保持して回転駆動させるチャッキングプレートを備えるディスクカートリッジにおいて、
上記チャッキングプレートが、片面に摺動性塗膜を形成した原板を素材として非摺動性塗膜面側から所定のプレス加工を施して製造され、上記摺動性塗膜形成面を上記ディスクに対向させて上記カートリッジ筐体に組み付けて構成したことを特徴とするディスクカートリッジ。
【請求項６】
上記チャッキングプレートが、外周端面部に上記摺動性塗膜が形成されていないことを特徴とする請求項５に記載のディスクカートリッジ。
【発明の詳細な説明】
【技術分野】
【０００１】
本発明は、光ディスク等のディスクを記録再生装置のディスク駆動部を構成するディスクテーブル（スピンドルコーン）にマグネットチャッキングして回転させるチャッキングプレート及びその製造方法並びにこのチャッキングプレートを備えたディスクカートリッジに関する。
【背景技術】
【０００２】
ディスク状記録媒体としては、音声データ、映像データ、コンピュータの処理データ等の各種データの記録及び再生が可能な追記型又は書換型の光ディスク、或いは各種データが記録された再生専用の光ディスク等がある。ディスク状記録媒体は、一般にデータ記録面に塵埃、指紋等の異物が付着したりキズ付いたりするとデータの記録再生を確実に行うことができなくなることから、カートリッジ筐体内に回転可能な状態で収納されてディスクカートリッジとして提供される。
【０００３】
例えば、特許文献１や特許文献２に示すディスクカートリッジは、短波長の光ビーム、高開口数の対物レンズを用いて高密度記録を実現した光ディスクを用いるものであり、光ディスクに塵埃等の異物が付着して汚損すると、記録再生エラーが発生し易い。このため、ディスクカートリッジでは、上シェルと下シェルとを組み合わせたカートリッジ筐体内に光ディスクを回転可能に保持するインナロータと、光ディスクの記録及び／又は再生時に光ディスクを外部に臨ませるように開口部を開放する一対のシャッタ部材とを設けるようにし、カートリッジ筐体内に塵埃等の異物が浸入しにくくするとともに不用意に開口部が開閉しないように構成することにより光ディスクの保護を図るようにしている。
【０００４】
ところで、ディスクカートリッジは、高温多湿或いは低温といった極めて広範囲な環境で用いられたり、塵埃等が多い環境で使用されることがある。ディスクカートリッジは、例えば高温環境下で長期に亘って放置されたとき、カートリッジ筐体、インナロータ或いはシャッタ板等の構成部品に変形が生じ、この変形によって当該構成部品が光ディスクに接触して傷を付けてしまうといった問題が生じる虞もあった。また、ディスクカートリッジは、これらの構成部品の変形によりカートリッジ筐体に隙間が生じて内部に塵埃等が浸入し、光ディスクに付着して記録再生特性を低下させるといった問題が生じる虞もあった。ディスクカートリッジは、上述した特許文献１や特許文献２に開示されるように、かかる問題の対応が図られている。
【０００５】
ディスクカートリッジにおいては、上述した外部環境に対する対応とともに、例えば特許文献３や特許文献４に開示されるように構成各部材や各部位に生じる種々の問題の対応も図られている。特許文献３には、高温多湿の環境下において生じるカビの対策が講じられている。特許文献４には、金属プレートと一体化された合成樹脂部品の剥離対策が講じられている。
【０００６】
ディスクカートリッジには、光ディスクを回転可能に収納するカートリッジ筐体の中央部内面に取付リング部材を介して光ディスクのセンタ孔と対向してチャッキングプレートが組み付けられる。ディスクカートリッジは、記録再生装置に装填されるとシャッタ機構の開放動作が行われて光ディスクを装置側の記録再生部と対向させる。ディスクカートリッジは、チャッキングプレートが装置側のディスク駆動部を構成するディスクテーブルにマグネットチャッキングされて光ディスクを保持し、ディスク駆動部の動作によって光ディスクの回転が行われるようにする。
【０００７】
【特許文献１】特開２００７−８７５１７号公報
【特許文献２】特開２００７−９５２０６号公報
【特許文献３】特開２００７−１６４８６４号公報
【特許文献４】特開２００７−１６４８７５号公報
【発明の開示】
【発明が解決しようとする課題】
【０００８】
ディスクカートリッジにおいては、上述したようにカートリッジ筐体に備えられるチャッキングプレートが、記録再生装置側のディスクテーブルにマグネットチャッキングされることにより光ディスクを保持して回転させる。ディスクカートリッジにおいては、このチャッキングプレートのチャッキング動作に際して、その主面に沿ってディスクテーブルと光ディスクとが摺動してディスクテーブルの中心に対して光ディスクの呼込み動作（センタ孔と回転軸の位置合わせ動作）が行われる。したがって、ディスクカートリッジにおいては、鉄板等を素材にして製造されるチャッキングプレートに、錆発生を防止するとともに光ディスクやディスクテーブルとの摺動特性の向上を図る塗料を用いた潤滑塗膜処理が施されていた。
【０００９】
チャッキングプレートの製造工程は、従来、素材の鉄板等に対して順送り金型による外形抜き加工や押出し加工等を経るプレス工程と、潤滑油等を除去する洗浄処理と、表面処理工程であるバレル処理と、湯洗や水洗い等の仮洗浄処理等の工程を経て中間体を製造する。チャッキングプレートの製造工程は、中間体を梱包、出荷処理等を行って塗装工程へと移送する。チャッキングプレートの製造工程は、塗装工程において、例えば荷解きを行った後に、治具整列、塗装前洗浄処理、乾燥処理等を経て、静電塗装法等による潤滑剤塗料を塗布する塗装工程を施してチャッキングプレートを製造する。
【００１０】
チャッキングプレートの製造工程は、チャッキングプレートに梱包、出荷処理等を行ってディスク組立工程等へと移送する。従来のチャッキングプレートの製造工程においては、上述したように多くの工程を経て製造され、しかも別工場でプレス工程と塗装工程とを施すことにより取り扱いのための多くの工程も必要となり、コスト高となっていた。
【００１１】
したがって、本発明は、光ディスクやディスクテーブルとの摺動特性を保持して工程の合理化によるコスト低減を図るとともに信頼性の向上を図るディスクカートリッジのチャッキングプレート及びその製造方法を提供することを目的とする。また、本発明は、摺動特性を保持してコスト低減を図るとともに信頼性の向上を図るチャッキングプレートを備えることにより、コスト低減と信頼性の向上を図るディスクカートリッジを提供することを目的とする。
【課題を解決するための手段】
【００１２】
上述した目的を達成する本発明にかかるディスクカートリッジのチャッキングプレートは、上シェルと下シェルを組み合わせて内部にディスクを回転可能に収納するカートリッジ筐体の上シェルの中央部内面に取付リング部材を介してディスクのセンタ孔と対向して組み付けられ、ディスクカートリッジが記録再生装置に装填された状態で記録再生装置側のディスク駆動部を構成するディスクテーブルにマグネットチャッキングされることによりディスクを保持する。チャッキングプレートは、片面に摺動性塗膜を形成した原板が素材として用いられ、摺動性塗膜形成面をディスクに対向させてカートリッジ筐体に組み付けられる。
【００１３】
ディスクカートリッジのチャッキングプレートは、素材として、基板の主面上に、プライマー塗膜層とフッ素系樹脂塗膜層とからなる摺動性塗膜を形成した原板が用いられる。また、ディスクカートリッジのチャッキングプレートは、外周端面部に摺動性塗膜が形成されていないことを特徴とする。
【００１４】
ディスクカートリッジのチャッキングプレートは、片面に摺動性塗膜を形成した原板を素材として用いることによりプレス工程後の塗装工程とその段取り作業等の削減によるコスト低減が図られてディスクテーブルや光ディスクが摺動する主面に摺動性塗膜を有して形成され、摺動特性が保持される。チャッキングプレートは、ディスクカートリッジを記録再生装置に装填してチャッキング動作が行われる際に、ディスクテーブルや光ディスクとの相互の摺動動作が円滑に行われるようにしてディスクテーブルの中心に対して光ディスクの呼込み動作が正確に行われるようにする。
【００１５】
上述した目的を達成する本発明にかかるディスクカートリッジのチャッキングプレート製造方法は、上シェルと下シェルを組み合わせて内部にディスクを回転可能に収納するカートリッジ筐体の上シェルの中央部内面に取付リング部材を介してディスクのセンタ孔と対向して組み付けられ、記録再生装置に装填された状態でディスク駆動部を構成するディスクテーブルにマグネットチャッキングされることによりディスクを保持して回転駆動させるディスクカートリッジのチャッキングプレートを製造する。ディスクカートリッジのチャッキングプレート製造方法は、片面に摺動性塗膜を形成した原板を用い、原板に対して、非摺動性塗膜形成面側からプレス工程と洗浄処理工程を施して、摺動性塗膜形成面をディスクに対向させてカートリッジ筐体に組み付けられるチャッキングプレートを製造する。
【００１６】
ディスクカートリッジのチャッキングプレート製造方法は、片面に摺動性塗膜を形成した原板を素材として用いることにより、プレス加工後の塗装工程とその段取り作業等を不要として製造コストの大幅な低減を図ってディスクテーブルや光ディスクが摺動する主面に摺動性塗膜を有し、摺動特性が保持される廉価なチャッキングプレートを製造する。チャッキングプレート製造方法は、カートリッジ筐体にディスクテーブルや光ディスクとの対向面に摺動性塗膜を形成してこれらディスクテーブルや光ディスクの摺動特性を保持することで、ディスクカートリッジを記録再生装置に装填してチャッキング動作が行われる際にディスクテーブルや光ディスクとの相互の摺動動作が円滑に行われてディスクテーブルの中心に対して光ディスクの呼込み動作が正確に行われるようにするチャッキングプレートを製造する。
【００１７】
上述した目的を達成する本発明にかかるディスクカートリッジは、上シェルと下シェルを組み合わせて内部にディスクを回転可能に収納するカートリッジ筐体の上シェルの中央部内面に取付リング部材を介してディスクのセンタ孔と対向して組み付けられ、記録再生装置に装填された状態でディスク駆動部を構成するディスクテーブルにマグネットチャッキングされることによりディスクを保持して回転駆動させるチャッキングプレートを備える。ディスクカートリッジは、チャッキングプレートが、片面に摺動性塗膜を形成した原板を素材として非摺動性塗膜面側から所定のプレス加工を施して製造され、摺動性塗膜形成面をディスクに対向させてカートリッジ筐体に組み付けて構成される。
【００１８】
ディスクカートリッジは、片面に摺動性塗膜を形成した原板を素材として用いることにより、プレス工程後の塗装工程とその段取り作業等を不要として廉価に製造されたチャッキングプレートを備えることによりコスト低減が図られる。ディスクカートリッジは、ディスクテーブルや光ディスクが摺動する主面に摺動性塗膜を有し、従来の塗装型チャッキングプレートと同等以上の摺動特性が保持されるチャッキングプレートを備えることにより、記録再生装置に装填してチャッキング動作が行われる際にディスクテーブルや光ディスクとの相互の摺動動作が円滑に行われてディスクテーブルの中心に対して光ディスクの呼込み動作が正確に行われて信頼性の向上も図られる。
【発明の効果】
【００１９】
本発明にかかるディスクカートリッジのチャッキングプレートによれば、プレス加工後の塗装工程とその段取り作業等の削減による製造コストの大幅な低減により廉価であり、ディスクテーブルの中心に対する光ディスクの正確な呼込み動作が行われるようにするとともに塗膜の剥離による記録再生特性の低下の発生等が防止されることで、信頼性の向上を図ることが可能である。
【００２０】
本発明にかかるディスクカートリッジのチャッキングプレート製造方法によれば、プレス加工後の塗装工程とその段取り作業等の削減により製造コストを大幅に低減するとともに、ディスクテーブルの中心に対する光ディスクの正確な呼込み動作が行われるようにするとともに塗膜の剥離による記録再生特性の低下の発生等が防止されることで、信頼性の向上を図る廉価なチャッキングプレートを製造することが可能である。
【００２１】
本発明にかかるディスクカートリッジによれば、プレス加工後の塗装工程とその段取り作業等の削減により製造コストが大幅に低減されるとともに、ディスクテーブルの中心に対する光ディスクの正確な呼込み動作が行われるようにするとともに塗膜の剥離による記録再生特性の低下の発生等を防止する廉価なチャッキングプレートを備えることで、コスト低減と信頼性の向上が図られる。
【発明を実施するための最良の形態】
【００２２】
以下、本発明の実施の形態として示すディスクカートリッジ１について、図面を参照して詳細に説明する。ディスクカートリッジ１は、図１に示すように、ポリカーボネート樹脂やＡＢＳ樹脂等の合成樹脂製の上シェル３と下シェル４とを組み合わせてカートリッジ筐体２を構成し、このカートリッジ筐体２内に、記録媒体となる光ディスク５と、この光ディスク５を回転自在に保持するインナロータ６と、一対のシャッタ部材７ａ，７ｂ（以下、個別に説明する場合を除いてシャッタ部材７と総称する。）等の部材を収納して構成する。ディスクカートリッジ１は、光ディスク５のセンタ孔５ａに対向して、取付リング部材９を介して上シェル３側にチャッキングプレート８が取り付けられる。
【００２３】
ディスクカートリッジ１は、下シェル４が、中央部に直径方向の記録再生開口部１０を構成して上シェル３にそれぞれ組み合わされるシェル半体４ａ、４ｂにより構成され、通常記録再生開口部１０がシャッタ部材７により閉塞される。ディスクカートリッジ１は、記録再生装置１１に装填すると、シャッタ部材７が駆動されて記録再生開口部１０を開放し、この記録再生開口部１０から光ディスク５の信号記録面５ｂを外方へと臨ませる。
【００２４】
ディスクカートリッジ１は、開放された記録再生開口部１０から記録再生装置１１のディスク駆動部を構成するディスクテーブル１２がカートリッジ筐体２内にへと進入し、このディスクテーブル１２によりチャッキングプレート８がチャッキングされる。ディスクカートリッジ１は、記録再生開口部１０から記録再生装置１１側の記録再生ヘッド（光ピックアップ）がカートリッジ筐体２内に進入し、光ディスク５の信号記録面５ｂと対向する。ディスクカートリッジ１は、後述するように光ディスク５がチャッキングプレート８とディスクテーブル１２とにより保持されて回転駆動され、記録再生ヘッドにより信号記録面５ｂに記録されたデータ等の再生が行われるとともにデータ等の記録が行われる。
【００２５】
光ディスク５は、例えば光透過性を有する合成樹脂材によりＣＤやＤＶＤと同じ直径を１２ｃｍとし、中心部に記録再生装置１１側のディスクテーブル１２が係合されるセンタ孔５ａを形成した基板が用いられる。光ディスク５は、記録再生ヘッドから光ビームが照射される信号記録面５ｂに詳細を省略するがランドとグルーブからなる所定パターンを形成し、この所定パターン上に光ビームを反射する反射層を設け、この反射層上に相変化材料、有機色素材料等からなる信号記録層を設け、この信号記録層上に光透過層を設けて構成される。光ディスク５は、光透過層側から光ビームを照射し、ランド及び／又はグルーブにデータを記録するようになっている。
【００２６】
光ディスク５は、波長が４００ｎｍ程度の光ビームを用いてデータの記録及び／又は再生が行われ、記録再生ヘッドにＣＤやＤＶＤで用いる対物レンズよりも高開口数の対物レンズを用いることで、静止画データ、動画データ、楽曲データ或いはコンピュータで処理される処理データ等の各種データをＣＤやＤＶＤよりも高密度に記録する。なお、ディスクカートリッジ１は、かかる光ディスク５に限定されず、例えば光磁気ディスクや磁気ディスク或いは再生専用の光ディスク等のディスクを用いるものであってもよく、またクリーニング用ディスクを収納したものであってもよい。
【００２７】
ディスクカートリッジ１は、上述したようにカートリッジ筐体２の底面を構成する下シェル４がシェル半体４ａ、４ｂにより構成され、これらシェル半体４ａ、４ｂの間に記録再生開口部１０を構成する。ディスクカートリッジ１は、詳細を省略するが記録再生開口部１０が中心部を挟んで区分された半径方向の一対の記録再生開口部により構成され、各記録再生開口部１０から記録再生装置１１側の記録再生ヘッドが進入してヘッド駆動機構により光ディスク５の半径方向に往復移動することによりデータの記録再生が行われるようにする。ディスクカートリッジ１は、記録再生装置１１によりデータの記録再生が高速で行われるようにする。
【００２８】
ディスクカートリッジ１は、カートリッジ筐体２を構成する上シェル３と下シェル４の突き合わせ外周部が、記録再生装置１１への装填側となる一方側面部を略円弧状とし、この側面部に一端側を対向させて上述した記録再生開口部１０が形成される。カートリッジ筐体２を構成する上シェル３には、その内面に図示を省略するがインナロータ６の外周部を保持する全体が環状であり、記録再生開口部１０との対応部位を切り欠いて記録再生ヘッドの移動を可能としたロータガイド立壁が一体に形成される。
【００２９】
上シェル３には、ロータガイド立壁の内側で同心円状に環状のガイド立壁３ａが一体に形成される。上シェル３は、環状ガイド立壁３ａが光ディスク５のセンタ孔５ａを囲む信号記録面５ｂの非信号記録領域に対応した直径を有して形成され、後述するようにその内部に取付リング部材１０を固定することにより、チャッキングプレート８が内面の中央部に組み付けられるようにする。なお、上シェル３には、各コーナ部に位置決めピン付きスタッドが形成されており、これらスタッドの貫通孔に止めネジをねじ込むことにより下シェル４と一体化されてカートリッジ筐体２を構成する。
【００３０】
下シェル４は、上述したように左右対称形の一対のシェル半体７ａ，７ｂにより構成され、それぞれの各コーナ部の内面に上述した上シェル３のロータガイド立壁と突き当てられる円弧状のロータガイド立壁が一体に形成され、外周部を保持されてインナロータ６がカートリッジ筐体２内に回転可能に収納されるようにする。一方のシェル半体７ａには、コーナ部に詳細を省略するインナロータ６のロック機構を構成するロック部材１３とスプリング１４が組み付けられている。インナロータロック機構は、シャッタ部材７が記録再生開口部１０を閉塞した状態においてロック部材１３がスプリング１４の弾性力によりインナロータ６と係合してこのインナロータ６をロックする。インナロータロック機構は、ディスクカートリッジ１を記録再生装置１１に装填した際にロック部材１３が駆動されてインナロータ６のロック状態を解除する。
【００３１】
なお、下シェル４には、シェル半体７ａ，７ｂの内面にそれぞれ複数の熱カシメ凸部を一体に形成し、これら熱カシメ凸部を介してステンレス、アルミニウム等の金属薄板からなる補強板を取り付けて強度補強を行うようにしてもよい。カートリッジ筐体２は、補強板による下シェル４の補強により熱変形防止特性や耐衝撃特性の向上が図られる。
【００３２】
下シェル４には、図示を省略するがディスクカートリッジ１の記録再生装置１１への誤挿入を防止するためのガイド溝が形成され、このガイド溝の一部にロック部材１３の操作突部を外部に臨ませるロック用開口部やインナロータ６の外周部の一部を外部に臨ませるロータ用開口部が形成されている。下シェル４には、内面に各シャッタ部材７に形成した長孔状のガイド孔と係合して各シャッタ部材７が記録再生開口部１０を開閉動作する際のガイドとなるガイドピンが突出形成されている。さらに、下シェル４には、図示を省略するが底面側にディスクカートリッジ１を記録再生装置１１に装填する際に位置決めを行う円孔と楕円孔とからなる位置決め孔が設けられている。
【００３３】
ディスクカートリッジ１は、カートリッジ筐体２に収納するインナロータ６が、例えばＰＯＭ等の耐磨耗特性を有する合成樹脂材により、全体略円盤状で外周縁に沿って光ディスク５の外周部を保持するガイド壁を一体に立設して形成される。インナロータ６は、主面部上に光ディスク５が信号記録面５ａを対向させるようにして装填し、カートリッジ筐体２内に収納した状態で上シェル３の内面との間でディスク収納部を構成する。インナロータ６は、ガイド壁が上述した上シェル３のガイド溝に係合されて組み合わされることにより光ディスク５を収納してカートリッジ筐体２に回動可能に取り付けられる。
【００３４】
インナロータ６には、下シェル４に設けた記録再生開口部１０と対応して、互いに略同形状のインナ記録再生開口部１５が形成されている。インナロータ６には、詳細を省略するがガイド壁の外周部にギヤ部が一体に形成されている。ギヤ部は、インナロータ６が下シェル４の記録再生開口部１０を閉塞した位置にあるときに前面側から外部に臨む位置と、インナロータ６が記録再生開口部１０を開放した位置にあるときに背面側から外部に臨む位置との間の領域に亘って形成されている。
【００３５】
インナロータ６には、詳細を省略するがギヤ部の一方の側に記録再生装置１１側のシャッタ開放機構を構成するシャッタ開放部材の第１係合突起が係合される第１係合凹部が形成されるとともに、ギヤ部の他方の側にシャッタ開放部材の第２係合突起が係合される第２係合凹部が形成されている。インナロータ６は、これら係合凹部がギヤ部とともに記録再生開口部１０を介して外部に臨むようにし、ディスクカートリッジ１が記録再生装置１１に装填された状態で第１係合凹部に最初にシャッタ開放部材の第１係合突起が係合されるようにする。インナロータ６は、シャッタ部材７が記録再生開口部１０を閉塞した状態で、第２係合凹部４５がロック部材１３と係合されるとともに、シャッタ部材７が記録再生開口部１０を開放した状態でシャッタ開放部材の第２係合突起が係合される。
【００３６】
インナロータ６には、詳細を省略するがガイド壁の外周部に回動量を規制するための一対の回動規制突部が、上シェル３側に形成した回動規制突部と対向して互いに所定の間隔を有して突出形成されている。インナロータ６は、記録再生開口部１０を開放する方向に回転することによって、一方の回動規制突部が上シェル３側の相対する一方の規制部と当接することにより回転が規制される。インナロータ６は、この回転規制状態において記録再生開口部１０を開放した状態にあり、インナ記録再生開口部１５と記録再生開口部１０とがそれぞれの一方側を相対した位置とする。インナロータ６は、記録再生開口部１０を閉塞する方向に回転することによって、他方の回動規制突部４６ｂが相対する他方の規制部４７ｂと当接して回転が規制される。インナロータ６は、この回転規制状態において記録再生開口部１０を閉塞した位置にあり、インナ記録再生開口部１５が記録再生開口部１０に対して最も傾いた状態となる。
【００３７】
ディスクカートリッジ１は、インナロータ６の底面側に図示を省略するが中心部に対して点対称な位置にそれぞれ支軸を一体に形成し、これら支軸にそれぞれ回動可能に支持して各シャッタ部材７をインナロータ６と下シェル４との間に配置する。各シャッタ部材７は、例えばＰＯＭ等の合成樹脂材により互いに対称な略半円平板状に形状に形成され、一端部に形成した軸孔に支軸を貫通させてインナロータ６に組み合わされるとともに上述したように長孔に下シェル４に形成したガイドピンが係合される。
【００３８】
各シャッタ部材７は、通常インナロータ６が第２係合凹部にロック部材１３のロック突部が係合されている状態でインナ記録再生開口部１５を介して記録再生開口部１０を閉塞する。各シャッタ部材７は、ディスクカートリッジ１が記録再生装置１１に装填されてシャッタ開放機構によるインナロータ６を駆動する動作が行われることにより、インナロータ６を介してロック状態の解除動作が行われて記録再生開口部１０を閉塞した状態から開放する状態へと動作する。
【００３９】
ディスクカートリッジ１は、上シェル３の内面略中央部に、取付リング部材９を介してチャッキングプレート８が組み付けられる。ディスクカートリッジ１は、上述したように記録再生装置１１に装填された状態で開放された記録再生開口部１０からディスクテーブル１２がカートリッジ筐体２の内部に進入し、図２に示すようにチャッキング動作が行われてディスクテーブル１２による光ディスク５の回転駆動が行われるようにする。
【００４０】
ディスククカートリッジ１には、上シェル３の内面中央部に位置して取付リング部材９を介してチャッキングプレート８が取り付けられている。チャッキングプレート８は、後述するように記録再生装置１１側のディスクテーブル１２と共同して光ディスク５をクランピングして回転駆動させる。取付リング部材９は、適宜の合成樹脂材を素材として上シェル３の内面に形成した環状ガイド壁３ａの内径とほぼ等しい外径とされたリング状に形成され、中央部にガイド孔９ａを形成するとともにこのガイド孔９ａを囲んで取付フランジ部９ｂが形成される。取付リング部材９は、ガイド孔９ａが光ディスク５のセンタ孔５ａよりも大きな内径を有し、取付フランジ部９ｂがガイド孔９ａの内周縁から所定の領域を上シェル３側に向かって次第にすり鉢状に湾曲し外周側を平坦にして形成される。
【００４１】
取付リング部材９は、環状ガイド壁３ａで囲まれた上シェル３の内面に、すり鉢状部位により構成される空間部にチャッキングプレート８を収納した状態で取付フランジ部９ｂを接合して取り付けられる。なお、取付リング部材９については、例えば耐磨耗性を有する合成樹脂材により形成してもよく、上シェル３に対して超音波溶着等の適宜の方法により固定するようにしてもよい。
【００４２】
チャッキングプレート８は、後述するステンレス原板２１を素材にして形成され、図１及び図３に示すように全体略円盤状であり、中央部にテーブル嵌合凹部８ａが膨出形成され、このテーブル嵌合凹部８ａを囲んでクランピング部８ｂと係止フランジ部８ｃが一体に形成される。なお、チャッキングプレート８は、素材の基板としてステンレス板に限定されず、好ましくは防錆特性に優れた適宜の基板を用いた原板であっても良いことは勿論である。チャッキングプレート８は、クランピング部８ｂが取付リング部材９のガイド孔９ａよりも大径でかつ取付フランジ部９ｂよりも小径に形成される。チャッキングプレート８は、テーブル嵌合凹部８ａが記録再生装置１１側のディスクテーブル１２に設けられたスピンドルコーン１２ａとほぼ同径とされるとともにこのテーブル嵌合凹部８ａを構成する凸部が取付リング部材９のガイド孔９ａよりも小径に形成される。
【００４３】
チャッキングプレート８は、取付リング部材９に対して、上シェル３の内面にテーブル嵌合凹部８ａを構成する凸部を対向させるようにしてその内部に組み合わされる。チャッキングプレート８は、取付リング部材９に対して、クランピング部８ｂがガイド孔９ａから下シェル４側、すなわち光ディスク５と対向するように臨ませられて、係止フランジ部８ｃをガイド孔９ａを囲む内周部に係止されて組み合わされる。チャッキングプレート８は、取付リング部材９を上シェル３に接合することにより、この取付リング部材９と上シェル３の内面とで構成した空間部に回転可能な状態で組み付けられる。
【００４４】
チャッキングプレート８は、ディスクカートリッジ１が記録再生装置１１に装填されると、シャッタ部材７の動作により閉塞状態から開放状態となった記録再生開口部１０とインナ記録再生開口部１５を介してカートリッジ筐体２の内部に進入した記録再生装置１１側のディスクテーブル１２によりチャッキングされる。ディスクテーブル１２は、詳細を省略するが回転駆動機構により回転駆動され、光ディスク５のセンタ孔５ａよりもやや大径とされるとともに内部にマグネットが設けられている。ディスクテーブル１２は、先端部にセンタ孔５ａとほぼ同径でかつチャッキングプレート８のテーブル嵌合凹部８ａよりもやや小径のスピンドルコーン１２ａが設けられている。
【００４５】
ディスクテーブル１２は、カートリッジ筐体２の内部に進入すると、図２に示すように光ディスク５のセンタ孔５ａの周辺部と突き当たるとともに、スピンドルコーン１２ａがセンタ孔５ａを貫通してチャッキングプレート８のテーブル嵌合凹部８ａと嵌合する。ディスクテーブル１２は、マグネットの磁気力によりチャッキングプレート８を吸引することにより、このチャッキングプレート８との間で光ディスク５を挟み込んで保持する。ディスクテーブル１２は、センタ孔５ａを貫通したスピンドルコーン１２ａの外周面により光ディスク５を位置決めする。
【００４６】
ディスクカートリッジ１においては、ディスクテーブル１２によるチャッキングプレート８のチャッキング動作に際して、取付リング部材９の内部に収納されたチャッキングプレート８が移動してその主面に沿ってディスクテーブル１２や光ディスク５の摺動動作が行われる。ディスクカートリッジ１においては、これによりディスクテーブル１２のスピンドルコーン１２ａが光ディスク５のセンタ孔５ａに嵌合する呼込み動作が行われる。ディスクカートリッジ１においては、チャッキングプレート８がディスクテーブル１２や光ディスク５の対向面を低摩擦係数として摺動特性の向上を図って構成したことにより、ディスクテーブル１２や光ディスク５の円滑な摺動動作が行われる。
【００４７】
チャッキングプレート８は、ステンレス基板１６の片面のみに摺動性塗膜１７を形成したステンレス原板２１を素材にして形成される。なお、チャッキングプレート８は、上述したように基板としてステンレス板に限定されるものではなく、所定の基板の片面のみに摺動性塗膜１７を形成した原板を用いてもよいことは勿論である。チャッキングプレート８は、図３及び図４に示すように、テーブル嵌合凹部８ａが開口して光ディスク５と対向される第１主面が摺動性塗膜１７を形成した摺動性塗膜形成面８ｄとし、第２主面がステンレス基板１６のままの非摺動性塗膜形成面８ｅとして構成する。チャッキングプレート８は、摺動性塗膜１７が、図３に示すようにステンレス基板１６の主面上に第１層として成膜形成される化成皮膜処理皮膜１８と、この化成皮膜処理皮膜１８上に第２層として形成されるプライマー塗膜層１９と、このプライマー塗膜層１９上に第３層として形成されるフッ素系樹脂塗膜層２０とから構成される。
【００４８】
化成皮膜処理皮膜１８は、一般に金属板等に対して施される加温状態の化成処理剤を用いて表面にリン酸化合部の皮膜を形成する化成皮膜処理により形成され、防錆性とともにステンレス基板１６と摺動性塗膜１７との密着性を向上させる機能を有する。プライマー塗膜層１９は、化成皮膜処理皮膜１８を形成したステンレス基板１６上に、例えばロールコータ法等により適宜のプライマーを塗布して形成する。プライマー塗膜層１９は、約５μｍの膜厚で形成され、上塗りするフッ素系樹脂塗料のステンレス基板１６に対する密着性を向上させるとともに防錆性を向上させる。
【００４９】
フッ素系樹脂塗膜層２０は、プライマー塗膜層１９を形成したステンレス基板１６上に例えばロールコータ法等によりフッ素系樹脂塗料を塗布して形成する。フッ素系樹脂塗膜層２０は、約１０μｍの膜厚で形成され、耐磨耗特性の向上とともに低摩擦係数による摺動特性の向上を図る機能を有する。なお、フッ素系樹脂塗膜層２０については、適宜の骨材を添加したフッ素系樹脂塗料を用いることにより、摺動特性や耐磨耗特性の向上を図ることが可能である。
【００５０】
以上のように構成されたチャッキングプレート８においては、摺動性塗膜形成面８ｄの摩擦係数特性が、従来の塗装型チャッキングプレートとの比較において図７に示す特性を示す。なお、同図において★印が実施例のチャッキングプレート８の特性であり、●印が従来の塗装型チャッキングプレートの特性である。チャッキングプレート８は、常温環境下における摩擦係数が約０．１２であり従来品チャッキングプレートの摩擦係数約０．１５と比較して有位である。チャッキングプレート８は、−５℃環境下（低温環境下）における摩擦係数が塗装型チャッキングプレートと同等の約０．１３である。チャッキングプレート８は、６０℃環境下（高温環境下）における摩擦係数が約０．０９であり従来品チャッキングプレートの摩擦係数約０．１４と比較して有位である。
【００５１】
チャッキングプレート８は、上述したように摺動性塗膜形成面８ｄを光ディスク５と対向させてカートリッジ筐体２に組み付けられる。チャッキングプレート８は、ステンレス原板２１を素材として用いて形成することにより従来の塗装型チャッキングプレートと同等以上の防錆特性を有することで、ディスクカートリッジ１が高温多湿等の劣悪な環境下で長期間に亘って使用、放置されることがあっても錆の発生が抑制される。チャッキングプレート８は、ディスクテーブル１２や光ディスク５の主面が摺動する対向主面に耐熱非粘着特性を有する摺動性塗膜１７を形成したことにより、これらディスクテーブル１２や光ディスク５との摺動特性を従来の塗装型チャッキングプレートと同等以上に保持する。チャッキングプレート８は、チャッキング動作に際して光ディスク５やディスクテーブル１２との相互の摺動動作が円滑に行われて、センタ孔５ａにスピンドルコーン１２ａが嵌合する光ディスク５の呼込み動作が正確に行われるようにする。
【００５２】
以上のように構成されたチャッキングプレート８は、図５に示すようにステンレス原板２１に対して非摺動性塗膜形成面８ｅ側をプレス面としてポンチを突き当てる外形抜きプレス加工が施される。チャッキングプレート８は、このプレス加工の特性により、打ち抜かれる係止フランジ部８ｃの外周縁部に沿ってステンレス基板１６から摺動性塗膜１７に向かってバリ２２が発生する。チャッキングプレート８は、プレス加工条件、すなわちポンチとダイの寸法精度、潤滑油の選択、ポンチの速度等を最適に設定することにより外周縁部に沿って発生するバリ２２が、同図に示すように摺動性塗膜１７の膜厚以下となるように制御してプレス加工が施される。また、チャッキングプレート８は、後述するように外形抜きプレス加工の後工程として、外形抜きプレス加工で打ち抜かれる部位である係止フランジ部８ｃの外周端面部に対して全周に亘って外周面押し工程を施して仕上げ処理が施される。
【００５３】
チャッキングプレート８は、上述したように上シェル３の内面と取付リング部材９との間に構成される空間部内に、ある程度移動が可能な状態で収納されている。チャッキングプレート８は、係止フランジ部８ｃが取付リング部材９の取付フランジ部９ｂに擦れて移動するが、係止フランジ部８ｃに発生するバリ２２を摺動性塗膜１７の膜厚以下に制御することにより円滑な移動が行われるとともにバリ２２が脱落して光ディスク５に付着することが防止される。
【００５４】
チャッキングプレート８は、ステンレス基板１６の片面のみに摺動性塗膜１７を形成したステンレス原板２１に所定のプレス加工を施して製作されることから、係止フランジ部８ｃの外周端面部にステンレス基板１６の端面が直接露出した摺動性塗膜１７が形成されていない構成となっている。チャッキングプレート８は、上述したように上シェル３の内面と取付リング部材９との間に構成される空間部内にある程度移動が可能な状態で収納される。チャッキングプレート８は、ディスクカートリッジ１の不用意な取り扱いによる落下や輸送時等における衝撃や振動が加えられて係止フランジ部８ｃが何かに当たった場合でも、その外周端面部から摺動性塗膜１７の構成膜が剥離するといった現象が生じることは無い。
【００５５】
したがって、チャッキングプレート８は、精密かつ厳重な梱包による取り扱いを要せずに上述した摺動特性を奏する摺動性塗膜１７が確実に保持されるとともに、ディスクカートリッジ１に組み付けられた状態でも摺動性塗膜１７の塗膜が剥離して剥離片がディスク表面に付着することにより記録再生特性の低下を生じさせるといった不都合の発生を防止する。チャッキングプレート８は、上述した光ディスク５の正確な呼込み動作とともに記録再生装置１１によりデータの記録再生が精密に行われて信頼性の向上が図られるようにする。
【００５６】
チャッキングプレート８は、図６に示すように供給されるステンレス原板２１に対して少なくともプレス工程ｓ−１と、洗浄工程ｓ−２の工程を経て製作される。ステンレス原板２１は、上述したようにステンレス基板１６の片面のみに化成皮膜処理皮膜１８とプライマー塗膜層１９とフッ素系樹脂塗膜層２０からなる摺動性塗膜１７が形成され、ロール状或いは適当な外形のシート状の態様でメーカから供給され、プレス機の材料供給部にセットされる。
【００５７】
プレス工程ｓ−１は、例えばプレス機の材料搬送路に沿って複数のプレス金型をセットして連続プレス加工を施すトランスファープレス工程を採用し、ステンレス原板２１を一定の速度で間欠的に送りながら各プレス金型により所定のプレス加工を施してチャッキングプレート８の中間体を連続して製作する。プレス工程ｓ−１は、ステンレス原板２１から円盤状の中間体を打ち抜く外形抜き加工工程や、円盤状の中間体に対してテーブル嵌合凹部８ａや係止フランジ部８ｃを押出形成する押出工程を有する。なお、プレス工程ｓ−１は、かかるトランスファープレス工程に限定されないことは勿論であり、順送りプレス工程等の適宜のプレス工程によりチャッキングプレート８を製作してもよい。プレス工程ｓ−１は、例えば外形抜きプレス加工で打ち抜き形成される係止フランジ部８ｃの外周端面部に対してバリ潰し処理を施してもよい。チャッキングプレート８は、バリ潰し処理を施すことにより、係止フランジ部８ｃの外周端面部を円滑面として仕上げられる。また、チャッキングプレート８は、摺動性塗膜に被さるようにバリの潰し量を制御するようにしてもよい。
【００５８】
洗浄工程ｓ−２は、プレス工程ｓ−１において素材に供給した潤滑油や付着した塵埃等を除去する工程である。なお、チャッキングプレート８の製造工程は、例えばバレル処理等の表面仕上げ工程を施してもよい。チャッキングプレート８の製造工程は、洗浄工程ｓ−２の後工程として例えば乾燥工程等を経て、製作したチャッキングプレート８をディスクカートリッジ１の組立工程へと搬送する。チャッキングプレート８の製造工程は、従来の塗布型チャッキングプレートのようにプレス工程後の塗装工程を不要とする。プレス部品は、プレス工程と塗装工程が工場を異にする全く異なる工程であり、プレス加工品が乾燥工程を経た後に梱包等の処理を経て塗装工場へと送られ、塗装工場において荷解き、検収、事前洗浄、乾燥、塗装機への整列設置等の段取りを経て静電塗装が施される。したがって、チャッキングプレート８の製造工程は、これら塗装工程とその段取り工程が全く不要となり、工程の大幅な削減による製造コストの低減が図られる。チャッキングプレート８の製造工程は、廉価なチャッキングプレート８を効率的に製造することが可能である。
【００５９】
以上のように構成されたディスクカートリッジ１は、記録再生装置１１の記録再生部に装填されることにより、シャッタ部材７が動作されて開放された記録再生開口部１０から進入したディスクテーブル１２によりチャッキングプレート８がマグネットチャッキングされる。ディスクカートリッジ１は、ディスクテーブル１２のスピンドルコーン１２ａがセンタ孔５ａを貫通するとともにディスクテーブル１２とチャッキングプレート８とによりセンタ孔５ａの外周部位を挟み込むことにより、光ディスク５が保持される。
【００６０】
ディスクカートリッジ１は、ディスクテーブル１２に保持された光ディスク５の信号記録面５ｂに対して記録再生開口部１０から進入した記録再生ヘッドが対向する。ディスクカートリッジ１は、記録再生装置１１において記録及び／又は再生操作が行われることにより、ディスクテーブル１２が回転してチャッキングプレート８とにより保持した光ディスク５が回転するとともにその信号記録面５ｂに沿って半径方向に移動する記録再生ヘッドによりデータの記録及び／又は再生が行われる。
【００６１】
ディスクカートリッジ１は、ステンレス基板１６の片面のみに耐熱非粘着特性を有する摺動性塗膜１７を形成したステンレス原板２１を素材として製作することにより光ディスク５やディスクテーブル１２と良好な摺動特性を有するチャッキングプレート８を備える。ディスクカートリッジ１は、ステンレス基板１６を素材とすることで充分な防錆特性が発揮されるとともに、ディスクテーブル１２によるチャッキング動作時に、チャッキングプレート８、光ディスク５、ディスクテーブル１２の動作が円滑に行われて光ディスク５の正確な呼込み動作が行われる。
【００６２】
ディスクカートリッジ１は、ステンレス原板２１に施すプレス加工の後工程として塗装工程やその段取り作業等を不要としてコスト低減を図って効率的に製作された廉価なチャッキングプレート８を備えることにより、コスト低減が図られる。ディスクカートリッジ１は、外周縁部に塗膜が無いチャッキングプレート８を用いることにより、輸送時等において摺動性塗膜１７の剥離が防止され信頼性の向上が図られる。
【００６３】
なお、本発明は、上述した実施の形態として示したチャッキングプレート８に限定されないことは勿論であり、光ディスク５やディスクテーブル１２との対向面に摺動性塗膜１７が形成された種々の形状に形成されるチャッキングプレートであってもよい。チャッキングプレート８は、ステンレス基板１７に形成する摺動性塗膜１７が、摩擦係数を０．３以下であればよい。
【図面の簡単な説明】
【００６４】
【図１】本発明の実施の形態として示したディスクカートリッジの分解斜視図である。
【図２】ディスクカートリッジを記録再生装置に装填してディスクテーブルによるチャッキング動作が行われた状態の要部断面図である。
【図３】チャッキングプレートの平面図である。
【図４】チャッキングプレートの製造工程に用いられる、ステンレス基板の片面に摺動性塗膜を形成して成るステンレス原板の構成図である。
【図５】チャッキングプレートの外周縁部に発生するバリの説明図である。
【図６】チャッキングプレートの製造工程図である。
【図７】チャッキングプレートと従来の塗布型チャッキングプレートとの摩擦係数特性図である。
【符号の説明】
【００６５】
１  ディスクカートリッジ  ２  カートリッジ筐体、３  上シェル、４  下シェル、５  光ディスク、６  インナロータ、７  シャッタ部材、８  チャッキングプレート、９  取付リング部材、１０  記録再生開口部、１１  記録再生装置、１２  ディスクテーブル、１５  インナ記録再生開口部、１６  ステンレス基板、１７  摺動性塗膜、１８  化成処理皮膜、１９  プライマー塗膜層、２０  フッ素系樹脂塗膜層、２１  ステンレス原板、  ２２  バリ
【図１】
2009116933.tif 000003
【図２】
2009116933.tif 000004
【図３】
2009116933.tif 000005
【図４】
2009116933.tif 000006
【図５】
2009116933.tif 000007
【図６】
2009116933.tif 000008
【図７】
2009116933.tif 000009